(57)【要約】  【課題】引き出し装置を備えた冷蔵庫に関し、ガタツキの少ない高品位かつ荷重を加えても操作力の小さい使い勝手の良い引き出しを有する冷蔵庫においてレール部における結露や着霜を防止する手段を提供する。  【解決手段】レール部材３０は固定レール３０ａと、移動レール３０ｂと、固定レール３０ａと移動レール３０ｂとの間に備えられた中間走行レール３０ｃと、中間走行レール３０ｃと固定レール３０ａおよび移動レール３０ｂとの係合を支持する回転支持部材である複数のベアリング３０ｄと、それらの結露や着霜を防止するための温度補償ヒータ３６をレール部材３０の近接に配置することにより、結露、着霜などに対する信頼性を向上させながら引き出しの操作力を低減することができる。これにより冷蔵庫の使い勝手の向上を図ることができる。【選択図】図４
2006214667.tif 000002
【特許請求の範囲】
【請求項１】
内箱と、外箱と、前記内箱と外箱間に充填した発泡断熱材とよりなる前面開口部を有する断熱箱体と、前記断熱箱体内部に備えた容器と、前記容器を前後に移動可能とするレール部材とからなり、前記レール部材を左右に設け、前記レール部材は固定レールと移動レールとを有し、前記固定レールと移動レールはそれぞれ回転支持部材で支持され前記固定レールと移動レールを予め組み込んだ状態で、引出し扉と、レールの位置規制手段を設けた前記内箱に取り付け、その後、前記容器を前記レール部材に支持し、前記レール部材に対して結露・着霜対応手段を備えたこと特徴とする冷蔵庫。
【請求項２】
結露・着霜対応手段はレールの位置規制手段として用いる連結板の、垂直部に温度保証ヒータを用いることを特徴とする請求項１に記載の冷蔵庫。
【請求項３】
温度保証ヒータをドアＳＷとデフロストのタイミングにより制御することを特徴とする請求項１または２に記載の冷蔵庫。
【請求項４】
前記温度保証ヒータをドア開閉後やデフロスト後△Ｔ秒間増加させることを特徴とする請求項１から３のいずれか一項に記載の冷蔵庫。
【請求項５】
前記温度保証ヒータをドア開閉中やデフロスト中は通電しないことを特徴とする請求項１から４のいずれか一項に記載の冷蔵庫。
【請求項６】
前記温度保証ヒータを庫内温度が０℃以下の場合に通電することを特徴とする請求項１から５のいずれか一項に記載の冷蔵庫。
【請求項７】
前記温度保証ヒータを庫内温度が０℃以上の場合に通電しないことを特徴とする請求項１から６のいずれか一項に記載の冷蔵庫。
【請求項８】
前記温度保証ヒータを冷蔵庫起動時は通電しないことを特徴とする請求項１から７のいずれか一項に記載の冷蔵庫。
【発明の詳細な説明】
【技術分野】
【０００１】
本発明は、引き出し装置を備えた冷蔵庫に関し、特に引き出しレールに対して結露・着霜に対する手段に関するものである。
【背景技術】
【０００２】
近年、冷蔵庫は大型化に伴い、収納量が増加の傾向にあり、収納量の増加、使い勝手の向上を図るため、引き出し装置を備えたものが主流となってきている（例えば、特許文献１参照）。
【０００３】
以下、図面を参照しながら、上記従来の引き出し装置を備えた冷蔵庫について説明する。
【０００４】
図６は、従来の冷蔵庫の引き出し式扉の斜視図である。図７は従来の冷蔵庫の引き出し装置の要部断面図である。図８は、従来の冷蔵庫の引き出し装置の断面図である。従来技術の冷蔵庫の引き出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取り付けられたフレーム２と可動ローラ３を摺動支持する固定レール５と固定ローラ６と、フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取り付けばらつき、組立性を考慮して、組み込み状態でレールとローラ間には、ある程度のクリアランスを設定して設計している。このクリアランスにより扉１の開閉時に左右のガタツキが生じ、操作性が損なわれ、操作時の品位が上がらないという課題を有していた。
【０００８】
本発明は上記従来の課題を解決するものであり、ガタツキの少ない高品位かつ荷重を加えても操作力の小さい使い勝手の良い引き出しを有し、かつ冷却時に生じる露や着霜などによるレールの操作性劣化に対応をした冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材をレールの位置規制手段を設けた内箱壁面に固定し、その後、容器をレール部材に支持したものである。
【００１０】
これによって固定レールと移動レールとのクリアランスを小さくすることができ、ガタツキの少ない高品位な引き出しを構成することができる。
【００１１】
また、固定レールと移動レールとの間を回転支持部材で支持することにより容器に荷重を加えた場合でも滑らかに移動レールが移動できるので引き出しの操作力を低減することができる。
【００１２】
ただし、この場合、固定レールと移動レールのクリアランスが小さくなり高品位な引き出しのため結露や着霜のため操作性が損なわれ可能性があり、さらに、最悪、固定レールと移動レール間が結露水の凍結によりドア開閉に異常をきたす可能性もある。そのため、レール表面の温度をレールの位置規制手段に設けた加熱手段でコントロールすることによりその信頼性を向上させることができる。
【発明の効果】
【００１３】
本発明の冷蔵庫は、ガタツキが小さく、容器に荷重を加えた場合でも滑らかに引き出しを開閉することができ、かつ、結露や着霜対応を行なうことにより信頼性を向上させた高品位で使い勝手の良い引き出し収納を構成することができる。
【発明を実施するための最良の形態】
【００１４】
請求項１に記載の発明は、内箱と、外箱と、前記内箱と外箱間に充填した発泡断熱材とよりなる前面開口部を有する断熱箱体と、前記断熱箱体内部に備えた容器と、前記容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態で、前記左右の固定レールを連結する前記連結部材を断熱箱体の発泡断熱材内に埋設し、その後、容器を前記レール部材に支持し、前記レール位置規制手段に対して結露・着霜対応手段を備え、レール表面温度のコントロールをすることによりレール部材の結露、着霜、凍結などによる操作性に対する信頼性を向上させることができる。
【００１５】
請求項２に記載の発明は、請求項１に記載の発明の結露・着霜対応手段として、固定レールを連結する前記連結部材の垂直部に温度保証ヒータを用いたものであり、これによりレール表面の温度を電気入力で簡単に調整することが可能となり、温度調節による省エネと信頼性を向上することができる。
【００１６】
請求項３に記載の発明は、請求項１または２に記載の発明の前記結露・着霜対応手段の通電のタイミングをドアスイッチとデフロストを検出して制御することにより、結露、着霜、凍結の発生しやすい時期に効率よく結露・着霜対応手段を通電できる。
【００１７】
請求項４に記載の発明は、請求項１から３のいずれか一項に記載の発明の前記結露・着霜手段の通電をドア開閉後あるいはデフロスト終了後△Ｔ秒間増加させることでさらに温度調節による信頼性を向上することができる。
【００１８】
請求項５に記載の発明は、請求項１から４のいずれか一項に記載の発明の前記結露・着霜手段の通電をドア開閉中あるいはデフロスト中は通電しないことにより、省エネを向上することができる。
【００１９】
請求項６に記載の発明は、請求項１から５のいずれか一項に記載の発明の前記結露・着霜対応手段の通電を貯蔵室内温度が０℃以下の場合にすることにより、結露、着霜、凍結の発生しやすい時期に効率よく結露・着霜対応手段を通電できる。
【００２０】
請求項７に記載の発明は、請求項１から６のいずれか一項に記載の発明の前記結露・着霜対応手段の通電の停止を貯蔵室内温度が０℃以上の場合にすることにより、省エネを図ることができる。
【００２１】
請求項８に記載の発明は、請求項１から７のいずれか一項に記載の発明の前記結露・着霜対応手段の通電を冷蔵庫起動時は停止することにより、起動時の冷却スピードアップを図ることができる。
【００２２】
以下、本発明の実施の形態について、図面を参照しながら説明する。なお、この実施の形態によってこの発明が限定されるものではない。
【００２３】
（実施の形態１）
図１は本発明の実施の形態１における冷蔵庫の側断面図、図２は図１のＡ−Ａ線断面図、図３は、同実施の形態の冷蔵庫のレール部材の分解組立図、図４は、同実施の形態の冷蔵庫のレール部材近傍の断面図である。
【００２４】
図１から図４において、冷蔵庫１８の断熱箱体１９は内箱２０と外箱２１との間に発泡断熱材２２を充填したものであり、前面開口部１９ａを有し、仕切壁２３により、上部より冷蔵室２４、切替室２５、野菜室２６、冷凍室２７を形成している。
【００２５】
仕切壁２３の両側面は開放１９ａを有し、特に仕切壁２３ｃ内部には断熱箱体１９と同様に発泡断熱材２２が充填されている。
【００２６】
また、第３の仕切壁２３ｃの上部に配置する野菜室２６は冷却温度が２℃から５℃程度、下部に配置する冷凍室２７は冷却温度が−２０℃程度というように仕切壁２３を介して上下に異なる温度帯に設定されている。
【００２７】
野菜室２６と冷凍室２７とはそれぞれ前面開口部１９ａを野菜室ドア２８と冷凍室ドア２９にて閉塞され、更に野菜室２６と野菜室ドア２８および冷凍室２７と冷凍室ドア２９とはそれぞれレール部材３０にて連結されることにより前後方向に引き出し摺動可能となっている。
【００２８】
レール部材３０は固定レール３０ａと、移動レール３０ｂと、固定レール３０ａと移動レール３０ｂとの間に備えられた中間走行レール３０ｃと、中間走行レール３０ｃと固定レール３０ａおよび移動レール３０ｂとの係合を支持する回転支持部材である複数のベアリング３０ｄとからなり、固定レール３０ａと移動レール３０ｂと中間走行レール３０ｃとベアリング３０ｄとを予め組み込んだ状態で固定レール３０ａを内箱２０の両側壁面に固定し、移動レール３０ｂをそれぞれの貯蔵室ドアに固定することでそれぞれの貯蔵室と貯蔵室ドアとを連結している。
【００２９】
なお、ここでは図示しないがレール部材３０は仕切壁２３に配置しても良い。
【００３０】
なお、固定レール３０ａと移動レール３０ｂと、固定レール３０ａと移動レール３０ｂとの間にベアリング３０ｄを介して配設した中間走行レール３０ｃとからなるレール部材３０は予め組み込んだものであり、それぞれのレール間のクリアランスを最小限に設定することができる。
【００３１】
更に内箱２０の両側壁面に固定された左右のレール部材３０は左右対称の形状を有し、左右共に備えることでより良い摺動性を発揮する。
【００３２】
各貯蔵室の容器３１はレール部材３０を内箱２０に固定後にレール部材３０の移動レール３０ｂに支持し、各貯蔵室ドアを前後方向に引き出すのと同期して移動レール３０ｂと共に前後に移動し、更に各貯蔵室ドアを少なくとも全開した時に容器３１は上方向に着脱自在となっている。
【００３３】
連結部材３５は、内箱２０の発泡断熱材２２を充填した側に配置されるので連結部材３５は各貯蔵室内に露出しない構造となっている。
【００３４】
また、連結部材３５の両端はそれぞれ野菜室２６と冷凍室２７との上下方向の中心部付近まで達し、各貯蔵室内の左右のレール部材３０の固定レール３０ａは連結部材３５に固定され、少なくとも連結部材３５は内箱２０の発泡断熱材２２を充填した側の面に接している。
【００３５】
なお、ここでは図示しないが連結部材３５には孔を設けていてもよい。
【００３６】
また、連結部材３５が大きくなる場合には前後に複数に分割してもよい。さらに、ベアリング３０ｄは回転支持部材であればよく、たとえばローラ等を用いてもよい。
【００３７】
温度補償ヒータ３６は、連結部材３５の垂直部に取り付けられており、その位置はレール部材３０が内箱に取り付けられる面を投影した背面側に取り付けられている。
【００３８】
また、温度補償ヒータ３６は、外箱２１側に関しては断熱材３７などにより断熱することが望まれる。
【００３９】
以上のように構成された冷蔵庫について、以下その動作、作用を説明する。
【００４０】
各貯蔵室ドアを手前に引き出すと各貯蔵室の両側部に備えられたレール部材３０の移動レール３０ｂと中間走行レール３０ｃとがベアリング３０ｄが回転することにより滑らかに手前側に摺動する。
【００４１】
それに伴い、レール部材３０に支持された容器３１も手前に引き出され、容器３１内に収納された被冷却物の取出し及び新たな被冷却物の収納が可能となる。
【００４２】
以上のように本実施の形態においては固定レール３０ａと移動レール３０ｂとをあらかじめ組み込んだ状態のレール部材３０を内箱２０の両側壁面に固定することにより固定レール３０ａと移動レール３０ｂとのクリアランスを小さくすることができ、ガタツキの少ない高品位な引き出しを構成することができる。また、クリアランスを小さくすることにより取り付けのばらつきも小さくできるのでドアの取り付け不具合による傾きや他のドアとの間隔の不均一化という外観不良も抑制することができる。これらの効果はレール部材３０の引き出し代が大きいほど効果的である。また、固定レール３０ａと移動レール３０ｂとの間を回転支持部材であるベアリング３０ｄで支持することにより容器３１に荷重を加えた場合でも滑らかに移動レール３０ｂが移動できるので引き出しの操作力を低減することができ、使い勝手の向上を図ることができる。
【００４３】
また、連結部材３５によりレール部材３０の固定レール３０ａの取り付け位置を規制することで左右一対のレール部材３０の幅寸法あるいは平行度が規定どおりに保持できることと連結部材３５により断熱箱体１９の発泡断熱材２２充填後の冷却時の熱収縮等による寸法変化を抑制することで固定レール３０ａと移動レール３０ｂとのクリアランスを小さく設定したレール部材３０をあらかじめ組み込んだ状態で内箱２０の両側壁面に固定する仕様としても左右一対のレール部材３０間の寸法精度を高く保てるので容器３１の引き出し時の操作性を位置規制手段である連結部材３５により高めることができる。また、長期にわたって操作信頼性の確保も図ることができる。
【００４４】
さらに、レール部材３０は金属などの良熱伝導性部材で構成されており、庫内冷却時には、レール部材３０の表面や中間走行レール３０ｃと固定レール３０ａや移動レール３０ｂやベアリング３０ｄの間に結露や着霜もしくは凍結し、ドア開閉時のレールの走行性に悪影響を及ぼす可能性がある。そこで、連結部材３５の垂直部に温度補償ヒータ３６を取り付けることにより野菜室２６や冷凍室２７の冷却時にレール部材３０に対して発生が予測される結露や着霜によるレールの操作性劣化によるドア開閉への影響に対して温度補償ヒータ３６へ電圧を印加することによりレール部材３０の温度調整を行い、結露や着霜を防止し、ドアの良好な操作性を確保する。この時、レール部材３０に対して温度補償ヒータ３３からの熱伝導を効率的に行なうため温度補償ヒータ３６の連結部材３５や外箱２１側を発泡断熱材３７により断熱を強化することにより、温度補償ヒータ３６の熱が効率よくレール部材３０に伝熱され、ヒータの低入力化が図れる。
【００４５】
次に、温度補償ヒータ３６ａ，３６ｂの動作を説明する。
【００４６】
図５は、冷蔵庫の運転状態を示したタイムチャートである。
【００４７】
まず野菜室２６の説明をする。野菜室２６の温度補償ヒータ３６ａは、通常は通電しない。野菜室ドア２８が開閉された場合、ドアスイッチ３２でドア開閉を検知し、野菜室ドア２８が閉された後、例えば５分間温度補償ヒータ３６ａを通電する。
【００４８】
次に冷凍室２７の説明をする。冷凍室は常に−２０℃近傍で保たれているため、温度補償ヒータ３６ｂはレール部材３０が冷凍室内温度よりも高い温度になるように常に通電する。冷凍室ドア２９が開閉された場合、ドアスイッチ３２でドア開閉を検知し開時は、温度補償ヒータ３６ｂの通電を停止する。冷凍室ドア２９が開いているときにレール部材３０に着霜するので、閉じられた後、ヒータ温度を通常よりも上げるように、制御する。またでフロスト時は、デフロストヒータ３３の通電を検知し、温度補償ヒータ３６ｂの通電を停止する。デフロスト終了後冷凍室２７内は多湿状態となり温度の低いレール部材３０に着霜するので、温度補償ヒータ３６ｂを通常よりも温度を上げて、Ｔ分間通電する。
【００４９】
なお、温度補償ヒータ３６ａ，３６ｂは庫内温度が０℃以上の場合には通電しない。０℃以下の場合は常時通電するように設定されている。
【００５０】
また、冷蔵庫の電源がはじめて入れられるときには、圧縮機３４が停止するまで温度補償ヒータは通電しない。
【００５１】
なお、発泡断熱材３７に関しては、より断熱効率のより真空断熱材を用いてもよい。その場合、より外側に熱が逃げにくくなりレール部材３０への熱伝達がさらに向上する。
【００５２】
なお、図示はしないが温度補償ヒータ３３の取り付け位置に関しては、野菜室２６へ絶縁対策を行なった上で固定レール３０ａに埋没もしくは密着させて取り付けてもよい。これにより、加熱必要部材であるレール部材３０を直接的に加熱することができ、熱伝達の効率も良く省エネが図れる。
【００５３】
また、本実施の形態では、野菜室２６と冷凍室２７にレール部材３０を用いたもので説明したが、引き出し容器を備えた貯蔵室に適宜適用できる。たとえば、野菜室２６の上部に位置する切替室２５や、切替室２５の横に併設した製氷室（図示せず）等に用いてもよい。
【産業上の利用可能性】
【００５４】
以上のように、本発明にかかる冷蔵庫は、ガタツキが小さく、容器に荷重を加えた場合でも滑らかに引き出しを開閉することができ、また、結露や着霜を防止することにより信頼性を向上させ、高品位で使い勝手の良い引き出し収納ができるので、冷凍装置を備えた冷却貯蔵庫の引き出し装置等の用途にも適用できる。
【図面の簡単な説明】
【００５５】
【図１】本発明の実施の形態１における冷蔵庫の側断面図
【図２】図１のＡ−Ａ線断面図
【図３】同実施の形態の冷蔵庫のレール部材の分解組立図
【図４】同実施の形態の冷蔵庫のレール部材近傍の断面図
【図５】同実施の形態の冷蔵庫の運転状態を示すタイムチャート
【図６】従来の冷蔵庫の引き出し式扉の斜視図
【図７】従来の冷蔵庫の引き出し装置の要部断面図
【図８】従来の冷蔵庫の引き出し装置の断面図
【符号の説明】
【００５６】
１８  冷蔵庫
１９  断熱箱体
１９ａ  前面開口部
２０  内箱
２１  外箱
２２  発泡断熱材
３０  レール部材
３０ａ  固定レール
３０ｂ  移動レール
３０ｄ  ベアリング（回転支持部材）
３１  容器
３２  ドアスイッチ
３３  デフロストヒータ
３５  連結部材
３６  温度補償ヒータ
３６ａ  温度補償ヒータ（野菜室用）
３６ｂ  温度補償ヒータ（冷凍室用）
３７  発泡断熱材
【図１】
2006214667.tif 000003
【図２】
2006214667.tif 000004
【図３】
2006214667.tif 000005
【図４】
2006214667.tif 000006
【図５】
2006214667.tif 000007
【図６】
2006214667.tif 000008
【図７】
2006214667.tif 000009
【図８】
2006214667.tif 000010